(57)【要約】【課題】防耐火構造を備えていて、静かな室内空間を確保し住空間の拡大が図れて、防犯性に優れた、施工性の良い間仕切り壁構造を提供すること。【解決手段】壁芯に沿った天井と床面にそれぞれ固定した上レ−ル２と下レ−ル３間に複数の下地パネル１を立設して、長尺鋼板をハット形状に折曲形成し、前記ハット形状のヘッド１Ａの幅を底辺より狭くし側面１Ｂに傾斜をつけ、前記ハット形状のヘッド１Ａに台形の溝１Ｄを有する断面形状の前記下地パネル１を、パネル壁芯９に沿って、前記下地パネル１のヘッド１Ａを両外側方向に千鳥配置として、隣接する前記下地パネル１の両端の側面１Ｂ間に遮音材５Ａを介在させ連結しながら間仕切り下地を形成し、前記下地パネル１のヘッド１Ａにボ−ド４をビス等で固定する間仕切り壁構造。【選択図】図３
2010127012.tif 000002
【特許請求の範囲】
【請求項１】
壁芯に沿った天井と床面にそれぞれ固定した上レ−ルと下レ−ル間に下地パネルを立設し、長尺鋼板を底辺よりヘッドの幅を狭くし側面に傾斜をつけハット形状に折り曲げた前記下地パネルで、前記のヘッドに台形の溝を有する前記下地パネルのハット形状のヘッドを、パネル壁芯に沿って両外側方向に千鳥配置として、隣接する前記下地パネルの両端の側面間に遮音材を介在させ連結しながら間仕切り下地を形成し、前記下地パネルのヘッドにボ−ドをビス等で保持することを特徴とする間仕切り壁構造。
【請求項２】
前記下地パネルのハット形状のヘッドを、パネル壁芯に沿って両外側方向に千鳥配置として、隣接する前記下地パネルの両端の側面間に遮音材を二重に介在させ連結しながら間仕切り下地を形成し、前記下地パネルのヘッドにボ−ドをビス等で保持することを特徴とする請求項１に記載の間仕切り壁構造。
【請求項３】
前記下地パネルのハット形状のヘッドを、パネル壁芯に沿って両外側方向に千鳥配置として、前記下地パネルのハット形状のリップと隣接する下地パネルの溝裏面間に遮音材を介在させ連結しながら間仕切り下地を形成し、前記下地パネルのヘッドにボ−ドをビス等で保持することを特徴とする請求項１又は２に記載の間仕切り壁構造。
【発明の詳細な説明】
【技術分野】
【０００１】
本発明は、構築物、特に建物の内壁における遮音性、高剛性、防耐火性、防犯性および工期短縮に有用である下地パネルと、下地パネルを使用する間仕切り壁構造に関するものである。
【背景技術】
【０００２】
従来、建築物の間仕切り壁の場合には、図１２〜図１３に概略示す方法で行われている。即ち、建物内部の天井及び床部に、断面コ字形状のランナを設置し、上ランナ１０，下ランナ１１間で、所定の位置に断面略Ｃ字形状の間柱（スタッド１２）を立設し、前記スタッド１２の面に、ボ−ド４をビスで固定し、かかる軸組構造の間仕切り壁として、長年に亘って建築物等に広く用いられてきた。
【０００３】
一方、近年における建築物の高層化、超高層化になるにつれて、住空間を拡大するために壁厚を薄くして、軽量であることが望まれ、防火性、遮音性、変形追随性、面外曲げ剛性、および硬度のある間仕切り壁が開示されている（例えば、特許文献１参照）。
【０００４】
他方、近年凶悪犯罪が多数発生し、防犯の強化が望まれていて、堅牢性のある間仕切り開発が喫緊の課題であり、一般に、例えば、軸組構造間仕切り壁において、図１４〜図１５に示すセキュリティ工法と称して、スタッド１２とボ−ド４の間に、現場で鋼板１５を挿入する工法が提案されている。
【特許文献１】特開平８−７４３５８号公報
【発明の開示】
【発明が解決しようとする課題】
【０００５】
しかしながら、既存の軸組構造工法、現状でのセキュリティ工法、および前記特許文献１に係わる間仕切り壁では、多様化する現代のニ−ズに応えているとは言い難い。
【０００６】
先ず既存の軸組構造工法の場合は、軸組構造工法の組立て手順として、図１２〜図１３に示す上ランナ１０、下ランナ１１間に、略Ｃ字形状スタッド１２を立設した後、スペ−サ１３及び振れ止め１４を固定するが、その取扱いが煩雑であるため施工効率を阻害する難点がある。また、スタット１２を挟んで隣室のボ−ド４と当室ボ−ド４が直接接触して一体化している関係上、隣室の壁の振動がスタッド１２を通じて当室に伝わるので、近年での、世間からの遮音の要求性能には不十分である。
【０００７】
そこで、特許文献１の場合のように、隣室の壁の振動がスタッドを通じて当室に伝わらないよう、前記スタッド１２を千鳥にして音の直接の伝搬をなくして、遮音性能を向上させているが、従来の図１２〜図１３の軸組構造工法のため、施工効率が悪く、さらに、防犯性に難点がある。
【０００８】
次に、壁面がボ−ド４では激しい打撃に遭うと壁面に貫通穴が空くため、セキュリテイ工法と称し、図１４〜図１５に示すように、在来の軸組構造工法で間仕切り下地を組み、鋼板１５を、現場で挿入しているが、鋼板１５を取付けるのに新たに運搬（小運搬を含む）、建設現場での鋼板置場の確保、取付等の工数が掛かり、工程及び経済性に問題がある。
【０００９】
すなわち、遮音性があり、衝撃に強くて堅牢性があり、防犯性があり、さらに、施工性に優れた間仕切り壁構造は、皆無であった。
【課題を解決するための手段】
【００１０】
上記課題を解決するための本発明に係わる間仕切り壁構造は、壁芯に沿った天井と床面にそれぞれ固定した上レ−ルと下レ−ル間に下地パネルを立設し、長尺鋼板を底辺よりヘッドの幅を狭くし側面に傾斜をつけハット形状に折り曲げた前記下地パネルで、前記ヘッドに台形の溝を有する前記下地パネルのハット形状ヘッドを、パネル壁芯に沿って両外側方向に千鳥配置として、隣接する前記下地パネルの両端の側面間に遮音材を介在させ連結しながら間仕切り下地を形成し、前記下地パネルのヘッドにボ−ドをビス等で保持することを特徴とする。
上記において、前記下地パネルのハット形状のヘッドを、パネル壁芯に沿って両外側方向に千鳥配置として、隣接する前記下地パネルの両端の側面間に遮音材を二重に介在させ連結しながら間仕切り下地を形成し、前記下地パネルのヘッドにボ−ドをビス等で保持することを特徴とする。
また、前記下地パネルのハット形状のヘッドを、パネル壁芯に沿って両外側方向に千鳥配置として、前記下地パネルのハット形状のリップと隣接する下地パネルの溝の裏面間に遮音材を介在させ連結しながら間仕切り下地を形成し、前記下地パネルのヘッドにボ−ドをビス等で保持することを特徴とする。
【発明の効果】
【００１１】
（Ａ）本発明に係わる間仕切り壁構造によれば、従来の軸組下地での中空部のある工法と異なり、室内空間を遮音性能のある金属製下地パネルで全面遮断している構造である。さらに、前記下地パネルを千鳥配置として、前記下地パネル間の接続部には弾力性のある遮音材を介在させている。したがって、隣室ボ−ドから当室ボ−ドへの音の直接の伝搬が微少で遮音性能が極めて高い。
【００１２】
（Ｂ）本発明に係わる間仕切り壁構造によれば、下地パネル全面が鋼板で覆われている構造である。したがって、衝撃に強く堅牢性に優れ、かつ防犯性が高い。
【００１３】
（Ｃ）本発明に係わる間仕切り壁構造によれば、下地パネルの断面は、面外剛性（間仕切り壁の壁面に対する水平方向の荷重に対する剛性）の高い形状である。したがって、間仕切り壁厚を薄くすることができる。
【００１４】
（Ｄ）本発明に係わる間仕切り壁構造によれば、上レ−ルと下レ−ルの間に下地パネルのみを立設する工法である。したがって、従来技術に係わる軸組構造工法と異なり、スペ−サ、および振れ止めの取扱いの煩雑さが無くなり取付作業が極めて容易である。
【００１５】
（Ｅ）本発明に係わる間仕切り壁構造によれば、下地パネルの断面形状は下地パネルの積み重ねを考慮して、折曲げ箇所を直角でなくて鈍角に加工している。したがって、最小限の容積で済み、梱包および運搬等にムダがなく経済的である。
【００１６】
（Ｆ）すなわち、本発明特有の下地パネルを採用する本発明に係わる間仕切り壁構造によれば、静かな室内空間を確保し、防犯性に優れ、防耐火構造を備え、かつ住空間の拡大を提供することができる。
【発明を実施するための最良の形態】
【００１７】
以下、図１〜図１５に基づいて、本発明を実施するための最良の形態を説明する。
図１は本発明に係わる間仕切り壁用の下地パネルの一例を示す模式図、図２は図１のＡ−Ａ断面図である。図１〜図２に示すように下地パネル用として使用される本発明に係わる下地パネル１は壁面となるヘッド１Ａ、および溝１Ｄと、下地パネルのジョイント部となる側面１Ｂ、およびリップ１Ｃから構成されている。
【００１８】
更に詳しく本発明に係わる間仕切り壁用の下地パネルを構成する各部分を図１〜図２に基づいて説明する。前記下地パネル１は、鋼板の長辺両方向端部を図２に示すように袴状に折曲形成して側面１Ｂを作成し、さらに、側面１Ｂの両側を外側方向へ直角に折曲げてリップ１Ｃを作成する。その際図１〜図２に示すように壁面部を台形形状に加工を施し、溝１Ｄを形成した構造にする。なお、図１〜図２には、壁面溝１Ｄの形状として台形状のものを代表として示したが、本発明ではこれに限ることなく、溝がなくても、また、溝数が複数でも、溝形状がいかなる形状のものであっても適用可能であれば構わない。例えば溝形状としは、半楕円、歪んだ半円形、三角形、四角形、弓形等を挙げることができし、側面１Ｂとリップ１Ｄとの角度も直角でなくても、遮音材５Ａを保持できれば如何なる角度でも構わない。下地パネル１のサイズは、幅が３０〜６０ｃｍ程度、長さが2〜6ｍ程度であり、下地パネル１の材質としては、溶融亜鉛めっき鋼板、溶融５５％アルミニウム−亜鉛合金めっき鋼板及びステンレス鋼等の金属材料で、０．６〜１．２ｍｍ程度の厚みが望ましいが、特に限定されるものではない。
【００１９】
[本発明に係わる間仕切り壁構造で採用する下地パネル配設の第１の実施例]
図３は、下地パネル１を連続して組み立てを行う場合において、下地パネル１における隣接するパネル両端の側面１Ｂ間に遮音材５Ａを介在させた、第１の実施例を示す斜視図であり、この例においては下レ−ル３，下地パネル１，ヘッド１Ａ、側面１Ｂ、リップ１Ｃ、溝１Ｄ、ボ−ド材４、遮音材５Ａ、および遮音材５Ｂとから構成されている。
【００２０】
図４は、間仕切り壁構造の施工例を示す模倣図であり、施工した下地パネル１を含む断面を上方から見た図であり、同じく、図５は間仕切り壁構造の施工例を示す模倣図であり、施工した下地パネル１を含む断面を右方から見た図である。この例においてはコンクリ−ト釘８によって建築物の躯体上スラブ６の下に、上レ−ル２の開口部の向きを上に、躯体下スラブ７の上に、下レ−ル３の開口部の向きを下にして固定されている。前記上下レ−ル２、３間に、先ず下地パネル１を図４に示すようにヘッド１Ａの方向を壁芯９に沿って外側方向に設置して、前記下地パネル１の側面１Ｂに遮音材５Ａを取付けている。つづいて、次の下地パネル１を前記下地パネルとヘッド１Ａの方向が反対、すなわち千鳥状にして、側面１Ｂで前記遮音材５Ａを押すようにして下地パネルを組み立て、前記下地パネルと繋がるように設置している。
【００２１】
次いで、遮音材５Ｂを、前記下地パネル１の壁面部のヘッド１Ａ裏面と溝１Ｄ裏面側に挿入し、図３に示すように、前記下地パネル１の壁面ヘッド１Ａの外方向に、ボ−ド材４を横向きにしてタッピングねじで固定し、さらに、前記ボ−ド材４の外側にボ−ド材４を縦向きにしてステ−ブルと糊で取り付けて間仕切り壁構造を構築している。
【００２２】
[本発明に係わる間仕切り壁構造で採用する下地パネル配設の第２の実施例]
次に、下地パネル１を連続して組み立てを行う場合の第２の実施例を説明する。図６は、下地パネル１における隣接するパネル両端の側面１Ｂ間に遮音材５Ａを二重に介在させた第２の実施例を示す斜視図であり、この例においては下レ−ル３，下地パネル１，ヘッド１Ａ、側面１Ｂ、リップ１Ｃ、溝１Ｄ、ボ−ド材４、遮音材５Ａ、および遮音材５Ｂとから構成されている。
【００２３】
図７は、間仕切り壁構造の施工例を示す模倣図であり、施工した下地パネル１を含む断面を上方から見た図であり、同じく、図８は間仕切り壁構造の施工例を示す模倣図であり、施工した下地パネル１を含む断面を右方から見た図である。この例においてはコンクリ−ト釘８によって建築物の躯体上スラブ６の下に、上レ−ル２の開口部の向きを上に、躯体下スラブ７の上に、下レ−ル３の開口部の向きを下にして固定されている。前記上下レ−ル２、３間に、先ず下地パネル１を図７に示すようにヘッド１Ａの方向を壁芯９に沿って外側方向に設置して、前記下地パネル１のリップ１Ｃに遮音材５Ａを組込んでいる。つづいて、次の下地パネル１のリップ１Ｃに遮音材５Ａを組込み、前記下地パネルとヘッド１Ａの方向が反対、すなわち千鳥状にして、側面１Ｂで遮音材５Ａを押すようにして下地パネルを組立てて、前記下地パネルと繋がるように設置している。
【００２４】
次いで、遮音材５Ｂを、前記下地パネル１の壁面部のヘッド１Ａ裏面と溝１Ｄ裏面側に挿入し、図６に示すように、前記下地パネル１の壁面ヘッド１Ａの外方向に、ボ−ド材４を横向きにしてタッピングねじで固定し、さらに、前記ボ−ド材４の外側にボ−ド材４を縦向きにしてステ−ブルと糊で取り付けて間仕切り壁構造を構築している。
【００２５】
[本発明に係わる間仕切り壁構造で採用する下地パネル配設の第３の実施例]
次に、下地パネル１を連続して組み立てを行う場合の第３の実施例を説明する。図９は、下地パネル１における隣接するパネル両端のリップ１Ｃと溝１Ｄの裏面間に遮音材５Ａを介在させた、第３の実施例を示す斜視図であり、この例においては下レ−ル３，下地パネル１，ヘッド１Ａ、側面１Ｂ、リップ１Ｃ、溝１Ｄ、ボ−ド材４、遮音材５Ａ、および遮音材５Ｂとから構成されている。
【００２６】
図１０は、間仕切り壁構造の施工例を示す模倣図であり、施工した下地パネル１を含む断面を上方から見た図であり、同じく、図１１は間仕切り壁構造の施工例を示す模倣図であり、施工した下地パネル１を含む断面を右方から見た図である。この例においてはコンクリ−ト釘８によって建築物の躯体上スラブ６の下に、上レ−ル２の開口部の向きを上に、躯体下スラブ７の上に、下レ−ル３の開口部の向きを下にして固定されている。前記上下レ−ル２、３間に、先ず下地パネル１を図１０に示すようにヘッド１Ａの方向を壁芯９に沿って外側方向に設置して、前記下地パネル１のリップ１Ｃに遮音材５Ａを組込み、ヘッド１Ａ裏面にも遮音材５Ｂを取付けている。つづいて、次の下地パネル１のリップ１Ｃに遮音材５Ａを組込み、前記下地パネルとヘッド１Ａの方向が反対、すなわち千鳥状にして、遮音材５Ａを押すようにして下地パネルを組立てて、前記下地パネルと繋がるように設置している。
【００２７】
次いで、遮音材５Ｂを、前記下地パネル１の壁面部溝１Ｄ裏面側に挿入し、図９に示すように、前記下地パネル１の壁面ヘッド１Ａの外方向に、ボ−ド材４を横向きにしてタッピングねじで固定し、さらに、前記ボ−ド材４の外側にボ−ド材４を縦向きにしてステ−ブルと糊で取り付けて間仕切り壁構造を構築している。
【００２８】
遮音材５Ａ、および遮音材５Ｂの挿入に関しては特に限定されるものではなく、必要に応じて仕様を決めても構わない。例えば、グラスウ−ル、特殊スポンジゴム、およびロックウ−ル等で密度や厚さを換えることは構わない。また、ボ−ド４に関しては、せっこうボ−ド、およびけい酸カルシウム板が一般的であるが特に限定はしていない。
【００２９】
以上説明したように本発明に係わる間仕切り壁構造は、設計条件の要求に対して下地パネル組みのバリエ−ションによる対応が可能であり、具体的には壁厚を薄くしたり、遮音性を高めたり、防犯性を高めることができる優れた工法である。
【図面の簡単な説明】
【００３０】
【図１】本発明に係わる間仕切り壁構造において使用する下地パネルの一例を示す模式図である。
【図２】図１のＡ−Ａ断面図である。
【図３】下地パネル配設の第１の実施例を示す斜視図である。
【図４】第１の実施例の施工例を示す模式図であり、下地パネル上方から見た断面図である。
【図５】第１の実施例の施工例を示す模式図であり、下地パネル右方から見た図４のＡ−Ａ断面図である。
【図６】下地パネル配設の第２の実施例を示す斜視図である。
【図７】第２の実施例の施工例を示す模式図であり、下地パネル上方から見た断面図である。
【図８】第２の実施例の施工例を示す模式図であり、下地パネル右方から見た図７のＡ−Ａ断面図である。
【図９】下地パネル配設の第３の実施例を示す斜視図である。
【図１０】第３の実施例の施工例を示す模式図であり、下地パネル上方から見た断面図である。
【図１１】第３の実施例の施工例を示す模式図であり、下地パネル右方から見た図１０のＡ−Ａ断面図である。
【図１２】従来技術に係わる軸組構造の間仕切り壁工法を示す縦断面図である。
【図１３】従来技術に係わる軸組構造の間仕切り壁工法を示す横断面図である。
【図１４】従来技術に係わる軸組構造の間仕切り壁工法でのセキュリティ工法を示す縦断面図である。
【図１５】従来技術に係わる軸組構造の間仕切り壁工法でのセキュリティ工法を示す横断面図である。
【符号の説明】
【００３１】
１      下地パネル                  １Ａ    ヘッド
１Ｂ    側  面                      １Ｃ    リップ
１Ｄ    溝                          ２      上レ−ル
３      下レ−ル                    ４      ボ−ド
５Ａ    遮音材Ａ                    ５Ｂ    遮音材Ｂ      
６      上スラブ                    ７      下スラブ
８      コンクリ−ト釘              ９      壁  芯
１０    上ランナ                    １１    下ランナ
１２    スタッド                    １３    スペ−サ
１４    振れ止め                    １５    鋼  板
【図１】
2010127012.tif 000003
【図２】
2010127012.tif 000004
【図３】
2010127012.tif 000005
【図４】
2010127012.tif 000006
【図５】
2010127012.tif 000007
【図６】
2010127012.tif 000008
【図７】
2010127012.tif 000009
【図８】
2010127012.tif 000010
【図９】
2010127012.tif 000011
【図１０】
2010127012.tif 000012
【図１１】
2010127012.tif 000013
【図１２】
2010127012.tif 000014
【図１３】
2010127012.tif 000015
【図１４】
2010127012.tif 000016
【図１５】
2010127012.tif 000017